(57)【要約】      （修正有）【課題】迅速かつ簡単にゴルフクラブをカスタマイズ可能にする方法の提供。【解決手段】ゴルフクラブをカスタマイズする方法であって、ユーザーの機械的装置の操作を表す操作データを生成することを含む。操作データは、機械的装置の操作中、機械的装置に形成されている取付けポートに取外し可能に位置決めされるようなサイズ及び構成の第１のセンサー４６によって生成される。センサーは、取付けポートにおいて少なくとも１つの質量インサートと交換可能に位置決め可能であり、少なくとも１つの質量インサートは、少なくとも２つの異なる質量構成を提供するべく、取付け部において交換可能に位置決めされる。本方法は、センサーによって生成された操作データに基づいて、ユーザーに特有の少なくとも１つの質量インサートの推奨される構成を決定することと、推奨される質量インサートを表す情報を送信することとを更に含む。【選択図】図３
2017140385.tif 000002
【特許請求の範囲】
【請求項１】
ユーザーの機械的装置の操作を表す操作データを生成するステップであって、前記操作データは、前記機械的装置の操作中に、前記機械的装置に形成されている取付けポートに取外し可能に位置決めされるようなサイズ及び構成の第１のセンサーによって生成され、前記センサーは、前記取付けポートにおいて少なくとも１つの質量インサートと交換可能に位置決め可能であり、前記少なくとも１つの質量インサートは、少なくとも２つの異なる質量構成を提供するべく、前記取付けポートに交換可能に位置決めされる、ステップと、
前記センサーによって生成された前記操作データに基づいて、前記ユーザーに特有の前記少なくとも１つの質量インサートの推奨される構成を決定するステップと、
前記推奨される質量インサートを表す情報を送信するステップと、
を含む、ゴルフクラブをカスタマイズする方法。
【請求項２】
前記センサーによって生成された前記操作データに基づいて、前記機械的装置における前記少なくとも１つの質量インサートのうちの第１の質量インサートの推奨される向きを決定するステップを更に含む、請求項１に記載の方法。
【請求項３】
前記推奨される向きを決定するステップは、前記機械的装置における第１の軸に対する前記第１の質量インサートの向きを決定することを含む、請求項２に記載の方法。
【請求項４】
前記推奨される向きを決定するステップは、前記機械的装置における前記第１の軸とは異なる第２の軸に対する前記第１の質量インサートの向きを決定することを含む、請求項３に記載の方法。
【請求項５】
前記少なくとも２つの質量構成は、異なる総インサート質量を含む、請求項１に記載の方法。
【請求項６】
前記少なくとも２つの可能な質量構成は、異なる質量分布を有する、請求項１に記載の方法。
【請求項７】
前記機械的装置を操作することは、ゴルフクラブをスイングすることを含む、請求項１に記載の方法。
【請求項８】
前記ゴルフクラブはドライバー型のゴルフクラブである、請求項７に記載の方法。
【請求項９】
前記第１のセンサーはクラブヘッドに位置決め可能であり、前記操作データは、ドライバー型のゴルフクラブのシャフト内に配置される第２のセンサーによって更に生成される、請求項７に記載の方法。
【請求項１０】
前記推奨される質量インサートを決定するステップは、クラブヘッド又は前記クラブの所望の重心の位置の決定に基づく、請求項７に記載の方法。
【請求項１１】
内部に取付けポートが形成されているゴルフクラブヘッドとともに用いられるゴルフクラブカスタマイズシステムであって、
センサーインサート体及び前記センサーインサート体に結合されるセンサーを有するセンサーインサートであって、前記センサーインサート体は、前記クラブヘッドに形成されている前記取付けポート内に取外し可能に挿入可能なサイズ及び構成であり、前記センサーは、ユーザーの前記クラブヘッドのスイングを表す操作データを生成するように構成されている、センサーインサートと、
少なくとも２つの質量インサートであって、前記各質量インサートは、前記クラブヘッドの物理的特性を修正するように、前記クラブヘッドに形成されている前記取付けポート内に挿入可能なサイズ及び構成である、少なくとも２つの質量インサートと、
前記センサーと動作的に通信し、前記センサーによって生成された前記操作データに基づいて、前記少なくとも２つの質量インサートのいずれかを選択するように構成されている、セレクターと、
を備える、システム。
【請求項１２】
前記セレクターと動作的に通信し、前記少なくとも２つの質量インサートのうちの選択されたものに関連する情報を表示するように構成されているディスプレイを更に備える、請求項１１に記載のシステム。
【請求項１３】
前記ディスプレイは移動通信デバイスである、請求項１２に記載のシステム。
【請求項１４】
前記各質量インサートは、質量体及び前記質量体を覆って延在する弾性カバーを有する、請求項１１に記載のシステム。
【請求項１５】
前記各質量インサートは、細長く略円筒形態である、請求項１４に記載のシステム。
【請求項１６】
前記少なくとも２つの質量インサートは異なる質量を有する、請求項１１に記載のシステム。
【請求項１７】
前記少なくとも２つの質量インサートは異なる質量分布を有する、請求項１１に記載のシステム。
【請求項１８】
前記セレクターは、前記クラブヘッドの所望の重心に基づいて、前記少なくとも２つの質量インサートのいずれかを選択するように構成されている、請求項１１に記載のシステム。
【請求項１９】
前記各質量インサートは、当該質量インサートが前記取付けポートに少なくとも２つの異なる向きで挿入可能なように、当該質量インサートの対向する端部に形成される締結要素を有する、請求項１１に記載のシステム。
【請求項２０】
前記質量インサートの前記締結要素及び前記クラブヘッドと係合可能に構成され、前記質量インサートを前記クラブヘッド内に個別に固定する締結具を更に備える、請求項１９に記載のシステム。
【発明の詳細な説明】
【技術分野】
【０００１】
本開示は、一般的にはゴルフ用具に関し、より詳細には、カスタマイズ可能なゴルフクラブ用具に関する。
【背景技術】
【０００２】
ゴルフ、野球、テニス及びホッケー等の多くのスポーツでは、ユーザーがボール又は他の物体を打撃するための器具をスイングすることが要求される。このようなスポーツに参加するときの成功のレベルは、多くの場合、ユーザーが高度な精密さ及び正確さで器具を制御する能力に関係する。これに関して、ユーザーが器具を制御するのに伴う僅かな欠点でさえも、悪い結果を生じさせる可能性がある。例えば、ゴルフをプレーする場合、ユーザーのスイングが、インパクト時にボールに対してスクエアにならず、クラブフェースが開いてしまうと、ボールがスライスする可能性がある。このことに加えて又は代えて、重心の位置がインパクト時のボールの軌道に影響を与えることが知られている。例えば、後方寄りの重心は、一般に、前方寄りの重心と比較して、より大きなダイナミックロフト及びより大きな慣性モーメントに結び付く。また、重心の位置は、スピン、ギア効果及びスイートスポットの位置に影響を与える。したがって、或るゴルファーにとって望ましい重心の位置が別のゴルファーにとっては望ましくない場合がある。
【０００３】
近年の技術の向上により、ユーザーによりよくフィットするようにするゴルフクラブのカスタマイズが可能になっている。これに関して、今や市場では、「１つのサイズで全てに合う（one size fits all）」手法よりも、様々な顧客のニーズ及び特性に合わせた様々なオプションを提供している。例えば、現在、多くのゴルフクラブの製造業者は、顧客に顧客の用具選択を改善する種々のフィッティングの活用手段を提供している。
【０００４】
しかしながら、利用可能なカスタマイズ技法は、特別な用具と、場合によっては完全にカスタマイズに専用であり、通常の使用は意図されない特別な環境とが必要となる傾向がある点で未だ制限がある。例えば、ユーザーのスイング特性を特定するためのフィッティングセッションにおいて、ユーザーは、特別に構成されたフィッティング用クラブをスイングすることができる。フィッティングセッション後、クラブの製造業者は、フィッティングセッション中に収集された情報に基づいて、ユーザーに対してカスタマイズされたゴルフクラブを構築することができる。カスタマイズされたクラブを構築するプロセスには、数日又は数週間もかかる場合がある。
【０００５】
多くのフィッティングセッションにおいて用いられる特別に構成されたカスタマイズ用具と、カスタマイズプロセスに伴う時間とに起因して、カスタマイズは、通常はより真剣なゴルファーのみが用いる高価なリソースとなる傾向にある。さらに、多くの既存のフィッティングの活用に伴う時間消費的な性質は、顧客は購入してすぐの入手を通常望んでいることから望ましくない。
【発明の概要】
【発明が解決しようとする課題】
【０００６】
したがって、当該技術分野において、改善されたカスタマイズキット、及びゴルフクラブ等の機械的装置の迅速かつ簡単なカスタマイズを可能にする関連の方法論が必要とされている。以下により詳細に論じるように、本開示の種々の観点はこの特有の必要性に対処している。
【課題を解決するための手段】
【０００７】
本開示の１つの実施形態によれば、ゴルフクラブをカスタマイズする方法であって、ユーザーの機械的装置の操作を表す操作データを生成することを含む方法が提供される。操作データは、機械的装置の操作中に、機械的装置に形成されている取付けポートに取外し可能に位置決めされるようなサイズ及び構成の第１のセンサーによって生成される。センサーは、取付けポートにおいて少なくとも１つの質量インサートと交換可能に位置決め可能である。少なくとも１つの質量インサートは、少なくとも２つの異なる質量構成を提供するべく、取付け部において交換可能に位置決めされる。本方法は、センサーによって生成された操作データに基づいて、ユーザーに特有の少なくとも１つの質量インサートの推奨される構成を決定することと、推奨される質量インサートを表す情報を送信することとを更に含む。
【０００８】
本方法は、センサーによって生成された操作データに基づいて、機械的装置における少なくとも１つの質量インサートのうちの第１の質量インサートの推奨される向きを決定するステップを更に含むことができる。推奨される向きを決定するステップは、機械的装置における第１の軸に対する第１の質量インサートの向きを決定することを含むことができる。推奨される向きを決定するステップは、機械的装置における第１の軸とは異なる第２の軸に対する第１の質量インサートの向きを決定することを含むことができる。
【０００９】
少なくとも２つの質量構成は、異なる総インサート質量を含むことができる。少なくとも２つの可能な質量構成は、異なる質量分布を有することができる。
【００１０】
機械的装置を操作するステップは、ゴルフクラブをスイングすることを含むことができる。ゴルフクラブはドライバー型のゴルフクラブとすることができる。第１のセンサーはクラブヘッドに位置決め可能とすることができ、操作データは、ドライバー型のゴルフクラブのシャフト内に配置される第２のセンサーによって更に生成することができる。推奨される質量インサートを決定するステップは、クラブヘッド又はクラブの所望の重心の位置の決定に基づくことができる。
【００１１】
別の実施形態によれば、内部に取付けポートが形成されているゴルフクラブヘッドとともに用いられるゴルフクラブカスタマイズシステムが提供される。ゴルフクラブカスタマイズシステムは、センサーインサート体と、センサーインサート体に結合されるセンサーとを備えるセンサーインサートを備える。センサーインサート体は、クラブヘッドに形成される取付けポート内に取外し可能に挿入可能なサイズ及び構成である。センサーは、ユーザーのクラブヘッドのスイングを表す操作データを生成するように更に構成されている。カスタマイズシステムは、少なくとも２つの質量インサートを更に備え、各質量インサートは、クラブヘッドの物理的特性を修正するように、クラブヘッドに形成されている取付けポートに挿入可能なサイズ及び構成である。セレクターはセンサーと動作的に通信し、ここでは、セレクターは、センサーによって生成された操作データに基づいて少なくとも２つの質量インサートのうちのいずれかを選択するように構成されている。
【００１２】
本システムは、セレクターと動作的に通信し、少なくとも２つの質量インサートのうちの選択されたものに関連する情報を表示するように構成されているディスプレイを更に備えることができる。ディスプレイは移動通信デバイスとすることができる。
【００１３】
各質量インサートは、質量体及びこの質量体を覆って延在する弾性カバーを備えることができる。各質量インサートは、細長く略円筒形態とすることができる。各質量インサートは、当該質量インサートが前記取付けポートに少なくとも２つの異なる向きで挿入可能なように、当該質量インサートの対向する端部に形成される締結要素を備えることができる。本システムは、質量インサートの締結要素及びクラブヘッドと係合可能に構成され、質量インサートをクラブヘッド内に個別に固定する締結具を更に備えることができる。
【００１４】
少なくとも２つの質量インサートは異なる質量を有することができる。また、少なくとも２つの質量インサートは異なる質量分布を有することもできる。
【００１５】
セレクターは、クラブヘッドの所望の重心に基づいて、少なくとも２つの質量インサートのうちのいずれかを選択するように構成することができる。
【００１６】
本開示は、添付の図面と併せて読むと、以下の詳細な説明を参照することにより最もよく理解される。
【００１７】
本明細書に開示される種々の実施形態のこれらの特徴及び利点並びに他の特徴及び利点は、以下の説明及び図面に関連してよりよく理解される。
【図面の簡単な説明】
【００１８】
【図１】本開示の一実施形態に係るクラブヘッド及びクラブヘッドの取付けポート内に位置決めされるインサートの部分的に断面となった背面斜視図である。
【図２】図１と同様であるがクラブヘッドからインサートが取り外されている状態を示す、クラブヘッドの部分的に断面となった背面斜視図である。
【図３】図１及び図２に示されるクラブヘッド及びインサートを用いたカスタマイズシステムの概観図である。
【図４】図１及び図２に示されるクラブヘッドの取付けポート内に位置決めされている様々な質量インサートのうちの１つを示す断面図である。
【図５】図１及び図２に示されるクラブヘッドの取付けポート内に位置決めされている様々な質量インサートのうちの１つを示す断面図である。
【図６】図１及び図２に示されるクラブヘッドの取付けポート内に位置決めされている様々な質量インサートのうちの１つを示す断面図である。
【図７】図１及び図２に示されるクラブヘッドの取付けポート内に位置決めされている様々な質量インサートのうちの１つを示す断面図である。
【図８】図１及び図２に示されるクラブヘッドの取付けポート内に位置決めされている様々な質量インサートのうちの１つを示す断面図である。
【図９】図１〜図８に示されるインサートのうちのいずれかを用いてクラブヘッドをカスタマイズする例示的な方法論を説明するフローチャートである。
【図１０】クラブヘッドとともに用いるように構成されているとともに図９に説明されるカスタマイズ方法に好適なインサートの別の実施形態の上面斜視図である。
【図１１】図１０に示されるインサートがクラブヘッドの取付けポート内に位置決めされている断面図である。
【図１２】ウッド型のクラブヘッドと、センサー要素と、ウッド型のクラブヘッドに形成されている取付けポート内に挿入される角柱形インサートとを含む構成キットの斜視図である。
【図１３】ウッド型のクラブヘッドと、ウッド型のクラブヘッドに形成されている取付けポート内に挿入される角柱形インサートとを含む構成キットの斜視図である。
【図１４】錘及びセンサーが角柱形インサートから分解された状態の、図１２に示される角柱形インサートの斜視図である。
【発明を実施するための形態】
【００１９】
図面及び詳細な説明の全体を通して同じ要素を示すために共通の参照符号が用いられる。
【００２０】
添付の図面に関連して以下に記載される詳細な説明は、ゴルフクラブカスタマイズシステム及び関連する方法のいくつかの実施形態を説明するものであることが意図されており、開発又は使用することができる唯一の形態を表すことは意図されていない。本説明は、例示される実施形態に関連して種々の構造及び／又は機能を説明するが、一方で、同じ若しくは均等な構造及び／又は機能を異なる実施形態によって達成してもよく、これらの実施形態も本開示の範囲内に包含されることが意図されることが理解されるべきである。「第１の」及び「第２の」等の相関的な用語の使用等は、単に１つの実体を別の実体から区別するために用いられ、このような実体間のそうした実際の関係又は順序を必ずしも要求又は示唆することはないことが更に理解される。
【００２１】
ここで、図１を参照すると、以下により詳細に説明される複数の異なる構成のインサート１２のうちの任意の１つとともに用いられる、カスタマイズ可能なクラブヘッド１０が示されている。このようなインサート１２は、ユーザーが、ユーザーのスイング特性を理解して、ユーザーのスイング特性に基づいてクラブヘッド１０の物理的特性を修正し、ユーザーのスイングを最適化することを可能にするのに特に適するように構成されている。いくつかの実施形態において、複数のインサート１２は、インサートのキットとして販売してもよく、必要に応じてゴルフクラブヘッド１０とともに（必要に応じて従来のシャフトとともにゴルフクラブとして）販売してもよい。他の実施形態では、ユーザーは、小売店舗、シミュレーションされたゴルフコース又は実際のゴルフコースにおいて、ゴルフクラブを試験し、より広範で利用可能なインサートのポートフォリオから単一（又は複数）のインサート１２を選択及び購入することができる。インサート１２は、互いに簡単に入替え及び交換し、クラブヘッド１０をその場でカスタマイズすることができる。これに関して、クラブヘッド１０のカスタマイズには、ゴルフコースでのプレー中に用いるのに適さない特別なフィッティング用具を必要とせず、またこのカスタマイズには、カスタマイズを完了するのに長い時間を必要としない。それどころか、カスタマイズ時に使用するのと同じ用具、すなわちクラブヘッド１０を、１つ又は複数の統括団体（例えば、全米ゴルフ協会（ＵＳＧＡ））によって定められている場合があるゴルフのルールに則った通常のプレー中に用いることができる。
【００２２】
上述のように、いくつかの実施形態において、クラブヘッド１０及び少なくとも１つのインサート１２によりカスタマイズキット１４が形成されるが、以下により詳細に説明するように、カスタマイズキット１４は、ゴルフクラブヘッド１０に形成されている取付けポート１６内に取外し可能に位置決めされる少なくとも１つのセンシングインサート及び少なくとも１つの質量インサートを含むことが好ましい。図１及び図２に示されているゴルフクラブヘッド１０は、トップライン１８と、トップライン１８に対して概ね反対側のソール２０と、ヒール部２２と、ヒール部２２に対して概ね反対側のトゥ部２４とを有するアイアン型のゴルフクラブヘッドである。いくつかの実施形態において、クラブヘッド１０は、好ましくは比較的大きいロフト角を有するアイアン型のクラブヘッド、例えば４０度以上のロフト角を有するアイアン型のクラブヘッドであり、更により好ましくはウェッジ型のクラブヘッドである。打撃フェース２６は、クラブヘッド１０の片側に配置され、トップライン１８とソール２０との間の一方向及びヒール部２２とトゥ部２４との間の別の方向に延在する。打撃フェース２６のゴルフボールへのインパクト時にゴルフボールに所望のスピン特性を生じさせるように、打撃フェース２６はテクスチャー加工してもよい。後面２８は、打撃フェース２６に対して概ね反対側にある。クラブヘッド１０は、クラブヘッド１０のヒール部２２から延在するとともに、当業者には既知の取付け技法を用いてゴルフクラブシャフトに接続可能なホーゼル部３０を更に備える。
【００２３】
図１〜図８及び図１１に示されている取付けポート１６は、好ましくは円筒状に構成され、トゥ部２４にある露出した第１の端部３２と、クラブヘッド１０内に位置するとともにトゥ部２４から離間した第２の端部３４とを有する。例示的な実施形態では、取付けポート１６はソール２０内に位置し、打撃フェース２６及び後面２８から離間し、概ねヒール部からトゥ部にかけての方向に延在する。より好ましくは、特にクラブヘッドがウェッジ型のクラブヘッドである場合において、取付けポート１６は、少なくとも部分的にマッスル部内に位置し、いくつかの場合ではマッスル部内に完全に位置することが好ましい。代替的な実施形態において、取付けポートは、トップからソールにかけての方向に、場合によっては打撃フェースの凡その平面に対して平行な方向に延在する。内壁３６は、取付けポート１６の第２の端部３４と締結ポート３８との間に延在し、締結ポート３８はさらに、内壁３６からクラブヘッド１０のヒール部２２におけるクラブヘッド１０の外面にかけて延在する。締結ポート３８は、同様に円筒形態を有することが好ましく、取付けポート１６と同軸に位置合わせされる。この線に沿って、内壁３６は、締結ポート３８を取付けポート１６と連通させる中央開口部４０を有する。締結具４２は、締結ポート３８内に挿入可能であり、開口部４０を貫通して、取付けポート１６内に位置するインサート１２と係合し、インサート１２を取付けポート１６内に固定することが可能である。これについては以下により詳細に説明する。
【００２４】
インサート１２は、スイング特性の分析のため取付けポート１６内に取外し可能に挿入可能であるとともに、カスタマイズ可能な質量分布をクラブヘッド１０にもたらし、ユーザーのスイングに基づいてクラブヘッドの特性を最適化するように構成されている。これに関して、上述したように、カスタマイズキット１４は、様々な目的を果たす複数のインサート１２を含んでいてもよく、このようなインサート１２は、例えばセンサーインサート１２ａ及び１つ又は複数の質量インサート１２ｂを含む。インサート１２のそれぞれは、取付けポート１６の形状に対して相補的な形状を有し、例えば、取付けポート１６の内径（ＩＤ）に応じたサイズの外径（ＯＤ）を有する概ね円筒形態であり、それにより、ＯＤとＩＤとの間のクリアランスの量が過剰になることなく、任意のインサート１２を取付けポート１６内にスライド式に前進させるとともに取付けポート１６内から取り外すことができることが想定される。
【００２５】
ここで、図３を具体的に参照すると、センサーインサート１２ａ（インサート１２の一種）が取付けポート１６内に挿入されている状態のクラブヘッド１０が示されている。センサーインサート１２ａは、インサート体４４ａを備えるとともに、インサート体４４ａに結合されているセンサー４６及び送受信機４８を備える。センサー４６及び送受信機４８に給電するために、バッテリー又は他の電源（図示せず）をセンサーインサート１２ａに設けることができる。バッテリー源は太陽電池又は圧電材料等の発電源を含むことができ、これらの発電源は、インパクト時に電流を発生させてもよいし、必要に応じてこのような電圧発生を探知してもよい。センサー４６は、スイング経路、スイング速度、スイング加速度、アタック角等を含むユーザーのスイングに関連する特性を検出するように構成されている。したがって、センサー４６は、加速度計、ジャイロスコープ、位置センサー（例えばＧＰＳモジュール）、又は当該技術分野において既知の他のセンシングデバイスのうちの１つ又は複数を含むことができる。センサー４６は、不慮の衝撃からセンサー４６を保護するようにインサート体４４ａ内に埋め込まれていることが好ましい。インサート体４４ａの外面は、軟質ポリマー等の弾性材料で形成されている保護カバー５０ａで覆われていることが好ましい。保護カバー５０ａは、ユーザーがクラブヘッド１０をスイングしたときのゴルフボールへのインパクト時に、インサート体４４ａがクラブヘッド１０に接触することから保護するように構成されている。これに関して、クラブヘッド１０はゴルフボールに対するインパクト時に振動するが、保護カバー５０ａが、クラブヘッド１０からインサート体４４ａに伝わる振動を減衰することが理解される。保護カバー５０ａはインサート体４４ａの外面に成形することができる。センサーインサート１２ａは、インサート体４４ａの周囲に延在する保護カバー５０ａを有するものとして上述したが、クラブヘッド１０の取付けポート１６内に保護ライナーを施し、クラブヘッドとインサート体４４ａとの間に保護層を設け、上述の衝撃保護属性を向上してもよいことも想定される。付加的には、保護カバー５０ａは、インサート１２ａとクラブヘッド１０との間をぴったり合わせるのに適するように構成されている。したがって、製造公差を適切に与えることができ、衝撃に基づくインサート１２ａの振動又は移動を最小限に抑えることができる。
【００２６】
送受信機４８は、センサー４６と動作的に通信し、センサー４６と、スマートフォン、タブレットコンピューター、ラップトップコンピューター、他の汎用コンピューター（複数の場合もある）等の遠隔電子デバイス５２、クラウドベースのデータストレージ５４等との間の通信を可能にし、例えば、センサー４６によって生成されたデータの分析又は記憶を可能にするように構成されている。送受信機４８は、遠隔電子デバイス５２の無線通信を可能にするように構成されていることが好ましいが、送受信機４８と遠隔電子デバイス５２との間で有線通信を行うこともできることが想定される。送受信機４８と遠隔電子デバイス５２との間の無線通信は、例えばＢＬＵＥＴＯＯＴＨ（登録商標）、ＷｉＦｉ、赤外線等の当該技術分野において既知の一般的な無線通信プロトコルによって行うことができる。センサー４６によって生成されたデータは、遠隔電子デバイス５２又はクラウドベースのデータストレージ５４に通信され、このデータに基づいて最適な質量インサート１２ｂ及び／又は質量インサートの向き／構成を決定するように構成されているセレクターによって分析が行われる。セレクターは、遠隔電子デバイス５２においてローカルで記憶されるセレクター１  ５７、又は遠隔電子デバイス５２若しくはデータストレージ５４によりアクセス可能なセレクター２  ５９を含むことができる。
【００２７】
センサーインサート１２ａは、締結具４２と係合し、締結具４２は、クラブヘッド１０内にセンサーインサート１２ａを固定するために締結ポート３８内に挿入される。これに関して、センサーインサート１２ａは、センサーインサート１２ａ内に軸方向に延在する１つ又は複数のねじ付き開口５６を有し、ねじ付き開口５６は、締結具４２上に形成されている対応するねじ山に係合する。図３に示されているように、センサーインサート１２ａは、インサート１２ａの両端部に形成されているねじ付き開口５６を有し、センサーインサート１２ａを取付けポート１６内に少なくとも２つの異なる構成で位置決めすることが可能である。詳細には、センサーインサート１２ａが第１の構成である場合、ねじ付き開口５６のうちの第１のねじ付き開口が締結具４２と係合可能であり、センサーインサート１２ａが第２の構成である場合、ねじ付き開口５６のうちの第２のねじ付き開口が締結具４２と係合可能である。センサーインサート１２ａを第１の構成と第２の構成との間で切り替えることにより、重心の変化等、クラブヘッド１０の物理的特性が変化し得るか、又は、センサー４６がインサート１２ａの中心線から外れている場合、より包括的なデータ分析のために異なる基準点からデータを感知することができる。代替的な実施形態において、インサート１２ａは、インサート１２ａの当接面に対して相補的な突出部及び／又は凹部、例えば回転防止機能部を有する、クラブヘッドの面に当接する。このようにして、挿入及び軸方向の圧迫時に、インサート１２ａの長手方向軸周りの回転が阻止される。さらに、このような回転防止機能部を有することにより、インサート１２ａが単一の向きのみを向くことが可能になり、このことは、回転位置がクラブヘッドの質量分布及び／又は他の性能関連の特性に影響を与える場合に有益となり得る。
【００２８】
ここで、図４〜図８を参照すると、図４〜図８のそれぞれの図において、特に１２ｂ１、１２ｂ２、１２ｂ３、１２ｂ４及び１２ｂ５として更に付番されている複数の異なる構成の質量インサート１２ｂのうちのいずれか１つが、取付けポート１６内に別個に配置され、クラブヘッド１０の物理的特性を選択的に変更するようにも構成されている。質量インサート１２ｂ１〜１２ｂ５は、各々、質量インサート体４４ｂと質量インサート体４４ｂを覆うカバー５０ｂとを備える。カバー５０ｂはカバー５０ａと同様であり、１つの実施形態において、双方のカバー５０ａ、５０ｂは、およそ４０Ｄのショア硬度を有する材料から形成することができる。質量インサート１２ｂ１〜１２ｂ５の質量インサート体４４ｂは、択一的な質量構成をユーザーに提供するために異なり得る。これに関して、質量インサート体４４ｂは、異なる材料特性及び／又は異なる構造特性等の異なる物理的特性を有し得る。材料特性は、それぞれの質量インサート体４４ｂを形成するのに用いられる材料の密度、重量等に関連する。例示的な材料として、鋼、タングステン、又は当該技術分野において既知の他の材料が挙げられる。構造特性は、任意の特定の質量インサート体４４ｂの物理的構成に関連し、それに伴うカットアウト５８のサイズ及び／又は数を含む。
【００２９】
図４〜図８から明らかであるように、質量インサート１２ｂ１〜１２ｂ５の間の主な違いは、各対応する質量インサート体４４ｂに伴う異なる構造特性に依拠する。例えば、図４では、質量インサート１２ｂ１の質量インサート体４４ｂが、このような質量インサート体４４ｂの横断方向中心線６１から僅かにずれた単一のカットアウト５８を有し、その結果、質量インサート１２ｂ１が取付けポート１６内にスライド式に前進して取付けポート１６内に固定されると、重心ＣＧ１は、横断方向中心線６１及び長手方向中心線６３の双方から離れ、ヒール部２２よりもトゥ部２４の近くに位置するように示されている。
【００３０】
図５では、質量インサート１２ｂ２の質量インサート体４４ｂが同様に単一のカットアウト５８を有するように示されているが、図５に示されている質量インサート１２ｂ２のカットアウト５８は、図４に示されている質量インサート１２ｂ１のカットアウト５８よりも大きい。さらに、図５に示されている質量インサート１２ｂ２のカットアウト５８は、対応するインサート体４４ｂの横断方向中心線６１に対して略対称であり、その結果、重心ＣＧ２は、横断方向中心線６１上に位置するが、質量インサート１２ｂ２における長手方向中心線６３からは離れている。センサーインサート１２ａのインサート体４４ａと同様に、図４及び図５に示されている質量インサート１２ｂ１、１２ｂ２の質量インサート体４４ｂは、各々、対向する端部のそれぞれの端部内に軸方向に形成されて延在する１対の雌ねじ付き開口５６を有し、これらの開口５６は、各々、対応する質量インサート１２ｂ１、１２ｂ２を取付けポート１６内に効果的に固定するために締結具４２と係合するように構成されている。
【００３１】
図６に示されている質量インサート１２ｂ３の質量インサート体４４ｂは、このような質量インサート体４４ｂの直径方向に対向する両側から延在するカットアウト５８を有し、ここでは、一方の側は２つのカットアウト５８を有し、他方の側は、他の２つのカットアウト５８のそれぞれよりも比較的長い１つのカットアウト５８のみを有する。図６に示されている質量インサート１２ｂ３の構成の結果、重心ＣＧ３は、横断方向中心線６１及び長手方向中心線６３の双方から離れ、ヒール部２２に対してより近くに位置する。
【００３２】
図７及び図８のそれぞれの図に示されている質量インサート１２ｂ４、１２ｂ５の質量インサート体４４ｂは、各々、１つのカットアウト５８のみを有し、ここでは、質量インサート１２ｂ４、１２ｂ５のカットアウト５８は、それぞれの質量インサート体４４ｂにおけるサイズ及び位置が異なる。より詳細には、図７に示されている質量インサート１２ｂ４の質量インサート体４４ｂは、質量インサート１２ｂ４が取付けポート１６内にスライド式に前進して取付けポート１６内に固定されると、横断方向中心線６１及び長手方向中心線６３の双方から離れ、トゥ部２４の方により近くなる重心ＣＧ４を規定している。これに対して、図８に示されている質量インサート１２ｂ５の質量インサート体４４ｂは、質量インサート１２ｂ５が取付けポート１６内にスライド式に前進して取付けポート１６内に固定されると、同様に中心線６１、６３の双方から離れ、ヒール部２２に対してより近くに位置する重心ＣＧ５を規定している。
【００３３】
また図６〜図８から明らかであるように、質量インサート１２ｂ３、１２ｂ４、１２ｂ５では、対応する質量インサート体４４ｂは、各々、対向する端部のうちの一方の端部内に軸方向に延在し、締結具４２に係合するように構成されている単一の雌ねじ付き開口５６のみを有する。これは、図４及び図５に示されている、上述のようにねじ付き開口５６の対向対を有する質量インサート１２ｂ１、１２ｂ２の質量インサート体４４ｂとは異なる。
【００３４】
対応する異なる質量インサート体４４ｂを備える種々の質量インサート１２ｂ１〜１２ｂ５は、クラブヘッド１０の物理的特性を変更するように互いに入替え又は交換してもよい。例えば、質量インサート１２ｂ１〜１２ｂ５を入れ替えることにより、ゴルファーの特有のスイング特性に適したクラブヘッドの質量、クラブヘッドの重心、クラブヘッドの質量分布等の変更を可能にすることができる。
【００３５】
上述したカスタマイズキット１４の基本的な構造特徴とともに、以下の考察ではその例示的な使用に焦点を当てる。クラブヘッド１０のカスタマイズは、通常、３つの段階、すなわち、データ収集段階、データ分析段階、及びクラブ構成段階を含む。データ収集段階は、センサーインサート１２ａをクラブヘッド１０の取付けポート１６内に配置することと、締結具４２を用いてセンサーインサート１２ａをクラブヘッド１０に固定することとを含む。センサーインサート１２ａは、センサーインサート１２ａをクラブヘッド１０に挿入する前にボタン又はスイッチを作動することにより電源を入れる必要がある場合がある。センサーインサート１２ａの電源が入れられ、取付けポート１６内に配置されてから、ユーザーはゴルフクラブをスイングする。スイングの間、センサー４６は、スイング経路の１つ又は複数の特性を検出し、それに関するセンサーデータを生成する。例えば、センサー４６は、例えばアタック角、スイング速度等のユーザーに特有のスイング属性を検出、抽出、測定、又はその他にも計算をすることができる。複数回のスイングを測定してもよく、センサー４６は測定されたスイング特性の平均を計算してもよい。ゴルフクラブのスイングの後、ユーザーは、クラブヘッド１０内のセンサー４６の位置を、センサーインサート１２ａをクラブヘッド１０に対して回転させるか又はひっくり返すことにより変更し、別の基準位置からデータを取得することができることが想定される。
【００３６】
データ分析段階は、センサー４６によって生成されたセンサーデータを分析することを含む。このようなデータ分析は、通常、遠隔コンピューティングデバイス５２と連動するセレクター５７、５９によって行われ、そのため、センサーデータは、通常、センサーインサート１２ａの送受信機４８を用いてセンサーインサート１２ａから遠隔コンピューティングデバイス５２に通信される。これに関して、送受信機４８は、データが生成されるとセンサーデータを自動的に送信するように構成することができ、或いは、センサーデータは、送受信機４８によって送信されるまで、センサーインサート１２ａの一時的なデータストレージモジュール（図示せず）に記憶することができる。別の実施形態においては、送受信機４８は、遠隔コンピューティングデバイス５２からの要求の受信に応じてセンサーデータを送信する。
【００３７】
センサーデータは、遠隔コンピューティングデバイス５２と連動するセレクター５７、５９によって分析され、質量インサート１２ｂのいずれを、例えば質量インサート１２ｂ１〜１２ｂ５のうちのいずれを用いるべきかをユーザーのスイング特性に基づいて決定する。これに関して、セレクター５７、５９は、当該技術分野において既知のアルゴリズムを利用してセンサーデータを分析し、このような決定を行うことができる。１つの実施形態によれば、このアルゴリズムは、コンピューター可読命令の形態でコンピューター可読媒体に記憶されているソフトウェアに結び付けられる。コンピューターは、これらのコンピューター可読命令を読み出し、それに応じて、これらのコンピューター可読命令によって定義される種々のステップを実行することができる。したがって、例えば、このようなコンピューター可読命令を読み出して実行し、これらの機能を実行すること、及び／又は、コンピューターを構成している任意のハードウェアサブシステム（例えばプロセッサ）を用いることにより、本明細書で説明される図９の機能ブロックのうちのいずれかに属する任意の機能を実装することができる。
【００３８】
セレクター５７、５９は、センサーデータを用いて、ユーザーのスイング特性に基づき、取付けポート１６内での質量インサート１２ｂの好ましい向きを決定することもできる。これに関して、質量インサート１２ｂは、質量インサート１２ｂを取付けポート１６内に複数の異なる向きで配置するべく、少なくとも２つの軸６１、６３周りに回転可能であってもよい。例えば、図４に示されている質量インサート１２ｂ１に関して、長手方向軸６３周りに質量インサート１２ｂ１を回転させることにより、図４に示されている視点に対して垂直方向にＣＧ１を移動させ、長手方向軸６３に対するＣＧ１の位置を変更することができる。質量インサート１２ｂ１は、ＣＧ１の広範な位置調整機能を可能にするべく、長手方向軸６３周りに徐々に回転させるようにしてもよい。さらに、横断方向軸６１周りに質量インサート１２ｂ１を回転させることにより、横断方向軸６１に対するＣＧ１の位置が切り替わる（すなわち、インサート１２ｂ１の向きをひっくり返すことにより、ＣＧ１をヒール部２２に対してより近くに配置する）。
【００３９】
質量インサート１２ｂのいずれを用いるかの決定、並びに取付けポート１６内の質量インサート１２ｂの向きは、所定の式又は関係を用いて決定することができる。ここでは、センサーデータは式に対する入力となり、決定される質量インサート１２ｂ及び向きは出力となる。或いは、記憶されているルックアップテーブル又はデータベースを用いて、センサーデータに基づいて好ましい質量インサート１２ｂ又は向きを決定することができる。
【００４０】
遠隔コンピューティングデバイス５２は、センサーデータを分析し、好ましい質量インサート１２ｂ及び取付けポート１６内における質量インサート１２ｂの好ましい向きを決定すると、好ましい質量インサート１２ｂ及び好ましい向きをディスプレイデバイスに表示する。ディスプレイデバイスは、遠隔コンピューティングデバイス５２に付随するディスプレイスクリーン５５（例えば、スマートフォンのタッチスクリーンディスプレイ）又は遠隔コンピューティングデバイス５２とは別個のディスプレイスクリーンを含むことができる。例えば、遠隔コンピューティングデバイス５２は、ユーザーがウェブサイトを通じてアクセス可能なサーバーを含むことができ、質量インサート１２ｂ及び対応する向きの情報は、ユーザーがサーバーにアクセスしているコンピューティングデバイスのディスプレイスクリーン等の、サーバーとは別個のディスプレイスクリーン５５に表示することができる。情報が表示された後、ユーザーは、好ましい質量インサート１２ｂをクラブヘッド１０の取付けポート１６内に好ましい向きで配置し、締結具４２を用いて質量インサート１２ｂをクラブヘッドに固定することができる。
【００４１】
取付けポート１６内でセンサーインサート１２ａと質量インサート１２ｂとを交換可能であることにより、ユーザーは、ユーザーのスイング特性を迅速かつ簡単に分析し、クラブヘッド１０をカスタマイズすることが可能である。例えば、ユーザーがゴルフを１ラウンドプレーした後に満足がいかない場合は、ユーザーは、次のラウンドの前にクラブヘッド１０をカスタマイズし、ユーザーのスイングを微調整することで、ゴルファーに更なる自信を与えることができる。
【００４２】
図１０及び図１１は、脱着式に係合可能な２つの部品を備える別の実施形態の質量インサート１１２を示している。詳細には、インサート１１２は、締結具４２と係合する第１の部品１１４と、交換可能な第２の部品１１６とを備える。換言すると、質量インサート１２ｂに関して上述した置換技法と同様に、インサート１１２全体を別のインサート１１２と入れ替えるのではなく、第２の部品１１６を変更して、質量インサート１１２の物理的特性を変更することができる。これに関して、複数の第２の部品１１６を単一の第１の部品１１４とともに用いて、質量インサート１１２の物理的特性を変化させることができる。
【００４３】
第１の部品１１４は、締結具４２のねじ付きシャフトと係合する雌ねじ付き開口１５６を有する第１の部品体１１５を備える。ねじ付き開口１５６の反対側には、第１の部品１１４を第２の部品１１６に接続するねじ付きシャフト１５８がある。第２の部品１１６は、ねじ付きシャフト１５８と協働して係合可能な１つ又は複数のねじ付き開口１５７を有する質量インサート体１１８を備える。質量インサート体１１８は、カットアウトを有せないように形成されているが、質量インサート体１１８は、特有の物理的構成を規定するように１つ又は複数のカットアウトを有することもできることが理解される。第１の部品１１４及び第２の部品１１６の双方は、それぞれの本体１１５、１１８を覆って延在する弾性カバー１５０、１５１を備えてもよい。
【００４４】
本明細書に記載のカスタマイズは、クラブヘッド１０のソール内に形成されている取付けポート内に質量インサートを配置することを含む。センサーインサート１２ａ及び／又は質量インサート１２ｂは、クラブヘッド１０の他の位置に取り付けてもよいことが理解される。例えば、インサート１２は、後面２８及び／又はソール２０の外面に結合するように構成してもよく、これは、クラブヘッド１０に関するバウンスを変更するのに特に有用であり得る。これに関して、１つのインサート１２は、ローバウンスを有するクラブヘッドと結び付けることができ、一方、別のインサート１２は、ハイバウンスを有するクラブヘッドと結び付けることができる。より多くの情報は、「Adjustable Club Head」と題する米国特許出願第１４／８７６７３１号を参照されたい。この米国特許出願の内容は参照により本明細書に援用される。
【００４５】
クラブヘッドに配置されたセンサーを用いてのクラブヘッドのカスタマイズについて上述したが、他の実施形態では、ゴルフクラブのシャフトに追加のセンサーを用いることによって、より包括的なゴルフクラブのカスタマイズを達成することができる。１つはクラブヘッドにあり、もう１つはシャフトにある２つのセンサーを用いることにより、スイング中のシャフトの曲げ又は撓みを更に検出することを可能としてもよい。したがって、遠隔コンピューティングデバイスは、２つのセンサーによって収集されたデータに基づいて、好ましいシャフト剛性に関連付けられた好ましいシャフトについての決定を行うことが可能であり得る。
【００４６】
さらに、カスタマイズキットは、アイアン型のクラブヘッドに限定されず、パター型のクラブヘッド、ハイブリッド型のクラブヘッド、ドライバー又は他のウッド型のクラブヘッドも包含し得ることも想定される。ウッド型のクラブヘッド用のカスタマイズキットは、上述したアイアン型のクラブヘッド用のカスタマイズキットと同様であり、一般的に、取付けポートが形成されているカスタマイズ可能なクラブヘッド、並びにセンサーインサート及び少なくとも１つの質量インサートを含む。この取付けポート及び対応するインサートは、上述の取付けポート１６及びインサート１２と同様に構成することができるが、ウッド型のクラブヘッドは、通常、より大きい体積を伴うことから、取付けポート及び対応するインサートは、異なる構成を有する場合があることが想定される。例えば、１つの実施形態において、取付けポート及び対応するインサートは、円形の断面構成を規定する代わりに、非円形の断面形状、例えば、正多角形又は不規則的な幾何形状を規定してもよい。いくつかの実施形態において、インサートは、三角形の断面構成を有する角柱形状を規定する。
【００４７】
この線に沿って、ここで特に図１２及び図１３を参照すると、ウッド型のクラブヘッド２１２に適したカスタマイズキット２１０が示されており、ウッド型のクラブヘッド２１２は、クラブヘッド２１２に形成されている取付けポート２１６内に角柱形インサート２１４を受けるように特に構成されている。いくつかの実施形態において、図１２に示されているように、カスタマイズキット２１０はセンサー要素２５０も含む。センサー要素２５０は、図１〜図１１に示されている実施形態に関して上述したものと同様の１つ又は複数のアクティブで電子的な又は非電子的なセンサーデバイスを含む。センサー要素２５０は、単数又は複数のセンサーデバイスをクラブヘッド２１２の取付けポート２１６内に安定して位置決めするために、ハウジングを備えることも好ましい。センサー要素２５０は、インサート２１４と交換可能に取付けポート２１６内にドッキングできることが好ましい。このようないくつかの場合では、クラブヘッド２１２は、インサート２１４及びセンサー要素２５０のうちの一方のみがクラブヘッド２１２に連結するように構成されていることが好ましい。この構成により、カスタマイズキット２１０の構築用に最小限の構造上の質量があてがわれ、したがって、裁量配置のための余剰質量の自由度が増し、クラブヘッド２１２の質量特性を最適化することができる。しかし、他の構成、例えば、インサート２１４及びセンサー要素２５０の一方又は双方が（例えば、複数のドックを有する取付けポートにより）クラブヘッド２１２に同時にドッキングされるゴルフクラブヘッド構成が可能である。
【００４８】
センサー要素２５０は取外し可能であり、別のインサート、例えばインサート２１４、好ましくは非電子的なアクティブなインサートと交換可能であることが好ましい。プロゴルフの用具の規則を定める統括団体として機能しているいくつかの組織、例えば全米ゴルフ協会（「ＵＳＧＡ」）は、通常、プレー用具と併せて用いられるアクティブな電子機器及び／又はセンサー装置の使用を許可していない。センサー要素２５０を取外し可能及び／又は取替え可能であるようにキット２１０を構成することにより、ゴルフクラブ２１２は、これらの規則に準拠した状態を必然的に含む。したがって、こうして取外し可能であること、好ましくは交換可能であることにより、より有用な製品を潜在的消費者に提供することになる。
【００４９】
センサー２５０は、図１〜図１１に示されている実施形態に関して説明したセンサーと同様に、ゴルファーのスイングの様々な時点においてクラブヘッドの向き及び／又は位置を測定することが可能であることが好ましい。さらに、センサー情報は、図９に関して説明したプロセスと同様に送信されることが好ましい。記憶されているルックアップテーブル、アルゴリズム、又はその他、測定されたセンサーデータと最適な推奨を表す値との間の記憶されている所定の関係を用いることにより、センサーは、クラブヘッド２１２の構成の最適な推奨を計算し、センサーデータに基づいてそのような推奨を出力することが好ましい。その推奨は、インサート２１４の設定、例えば、インサート２１４に固定する錘インサート２３８の数（及び／又は錘インサート２３８の位置若しくは向き）を含むことが好ましい。
【００５０】
図１３に示されている視点からは、クラブヘッド２１２のソール２１８が示されており、ここでは、取付けポート２１６はソール２１８を貫通し、一端部はクラブヘッド２１２のトゥ部２２２において打撃フェース２２０に隣接して位置し、別の端部はクラブヘッド２１２の後部の中央部に位置する。これに関して、取付けポート２１６は、クラブヘッド２１２の広いセクションを前部から後部にかけての方向に通る取付けポート軸２２４に沿って延在することが好ましい。さらに、例示的な実施形態において、取付けポート軸２２４は打撃フェース２２０を通らず、打撃フェースの平面から角度がずれているが、他の実施形態では、取付けポート軸２２４は打撃フェース２２０と交わってもよく、場合によっては打撃フェースの平面に対して略垂直としてもよいことが理解される。取付けポート２１６の形態は、インサート２１４に対して相補的であり、インサート２１４が角柱形態であるため、取付けポート２１６も角柱形態を規定する。インサート２１４及び対応する取付けポート２１６の角柱形状により、インサート２１４が取付けポート２１６内に収まると、インサート２１４の回転が阻止される。さらに、インサート２１４は、インサート２１４を保護するポリマー／弾性コーティングを有し、インサート２１４とインサート２１４の周りの取付けポート２１６との間がぴったり合い、それにより、クラブヘッド２１２でゴルフボールを打撃したときのインサート２１４の振動を低減することができる。角柱形インサート２１４が取付けポート２１６に配置されると、締結具２２６を用いて角柱形インサート２１４を取付けポート２１６内に固定する。
【００５１】
ここで、図１４を参照すると、角柱形インサート２１４の拡大図が示されており、この図には、１対の三角形の端壁２２８及び三角形の端壁２２８間に延在する３つの側壁２３０、２３２、２３４が含まれている。少なくとも１つ、好ましくは３つ全ての側壁２３０、２３２、２３４には、複数の開口又は凹部が形成されており、各凹部はセンサー要素２３６及び／又は錘要素２３８を収容するように構成されている。例示的な実施形態では、角柱形インサート２１４は、第１の側壁２３０に形成されている５つの円形凹部２４０を有し、各円形凹部２４０は、錘要素２３８を受けるように構成されている。さらに、第１の側壁２３０には４つの三角形凹部２４２が形成されており、対応する三角形状のセンサー要素を受け取るように構成されている。第２の側壁２３２は、これらの特定の実施形態ではセンサー要素又は錘要素とすることができる、三角形状の要素を受け取るように構成されている４つの三角形凹部２４４を有する。第３の側壁２３４も、センサー要素又は錘要素を受けるように構成されている１つ又は複数の凹部を備えることができる。２つの錘要素２３８が、対応する円形凹部２４０から分解されて図１３に示されている。各錘要素２３８は、円形凹部２４０に形成されている協働するねじ山と係合するねじ付きシャフトを備える。
【００５２】
錘要素２３８及びセンサー要素２３６は、アイアン型のクラブヘッドのカスタマイズに関して上述したのと同様に用いられる。すなわち、センサー（複数の場合もある）を用いてユーザーのスイングに関連する特性を測定することができ、インサートに錘を追加してクラブヘッドをカスタマイズし、ユーザーの特有のスイング特性の観点からクラブヘッドの使用を最適化することができる。
【００５３】
別の実施形態では、取付けポート及び対応するインサートは弧状であり、取付けポートはクラブヘッドの周縁部に沿って位置することも想定される。さらに、インサート体が、少なくとも１つのセンサーインサート体及び少なくとも１つの質量インサート体を受け取るように構成されている複数の開口又は凹部を有することにより、インサートをカスタマイズ可能とすることができる。
【００５４】
一般的には、本明細書に記載の構想はゴルフクラブに関するが、これらの構想は、ユーザーによりスイング又は制御される機械的装置／器具を用いてプレーされる、例えばホッケー、テニス、ラケットボール、野球、ラクロス等のスポーツ業界における他の装置に応用することができる。
【００５５】
本明細書に示されている事項は、説明的に論じるための単なる例であり、本開示の種々の実施形態の原理及び概念的な態様について最も有用で容易に理解される説明であると考えられるものを提供するために提示されているのではない。これに関して、種々の実施形態の異なる特徴の基本的な理解に必要とされる以上の詳細を示すことは試みられていない。図面と併せて説明することで、これらの実施形態を実際に実施することができる方法が当業者には明らかとなる。
【図１】
2017140385.tif 000003
【図２】
2017140385.tif 000004
【図３】
2017140385.tif 000005
【図４】
2017140385.tif 000006
【図５】
2017140385.tif 000007
【図６】
2017140385.tif 000008
【図７】
2017140385.tif 000009
【図８】
2017140385.tif 000010
【図９】
2017140385.tif 000011
【図１０】
2017140385.tif 000012
【図１１】
2017140385.tif 000013
【図１２】
2017140385.tif 000014
【図１３】
2017140385.tif 000015
【図１４】
2017140385.tif 000016
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
ゴルフクラブヘッドと、
複数の第１凹部を有し、前記ゴルフクラブヘッドに対し取外し可能に取り付けられるインサートと、
前記複数の第１凹部に収容されるように構成されている１又は複数の錘要素と
を備える、
カスタマイズキット。
【請求項２】
ゴルフクラブヘッド及び前記ゴルフクラブヘッドに接続されるシャフトを有するゴルクラブと、
複数の第１凹部を有し、前記ゴルフクラブヘッドに対し取外し可能に取り付けられるインサートと、
前記複数の第１凹部に収容されるように構成されている１又は複数の錘要素と
を備える、
カスタマイズキット。
【請求項３】
前記インサートは、柱状である、
請求項１又は２に記載のカスタマイズキット。
【請求項４】
前記インサートは、角柱状である、
請求項３に記載のカスタマイズキット。
【請求項５】
前記ゴルフクラブヘッドには、前記インサートに対し相補的な形態を有する取付けポートが形成されており、
前記インサートは、前記取付けポートに挿入された状態で前記ゴルフクラブヘッドに固定される、
請求項１から４のいずれかに記載のカスタマイズキット。
【請求項６】
前記インサートは、前記取付けポートにスライド式に前進して固定される、
請求項１から５のいずれかに記載のカスタマイズユニット。
【請求項７】
前記インサートは、前記複数の第１凹部とは異なる形状の１又は複数の第２凹部をさらに有し、
前記カスタマイズキットは、
前記１又は複数の第２凹部に収容されるように構成されているセンサー要素
をさらに備え、
前記センサー要素は、ユーザーの前記ゴルフクラブヘッドの操作を表す操作データを生成する、
請求項１から６のいずれかに記載のカスタマイズキット。
【請求項８】
前記複数の第１凹部に収容されるように構成されているセンサー要素
をさらに備え、
前記センサー要素は、ユーザーの前記ゴルフクラブヘッドの操作を表す操作データを生成する、
請求項１から６のいずれかに記載のカスタマイズキット。
【請求項９】
前記センサー要素と通信し、前記センサー要素によって生成された前記操作データに基づいて、前記複数の第１凹部に収容されるべき前記錘要素の最適な構成を計算するように構成されているコンピュータ
をさらに備える、
請求項７又は８に記載のカスタマイズキット。
【請求項１０】
前記コンピュータにより計算された前記錘要素の最適な構成を表示するディスプレイデバイス
をさらに備える、
請求項９に記載のカスタマイズキット。
【請求項１１】
ユーザーの機械的装置の操作を表す操作データを生成するステップであって、前記操作データは、前記機械的装置の操作中に、前記機械的装置に形成されている取付けポートに取外し可能に位置決めされるようなサイズ及び構成の第１のセンサーによって生成され、前記センサーは、前記取付けポートにおいて少なくとも１つの質量インサートと交換可能に位置決め可能であり、前記少なくとも１つの質量インサートは、少なくとも２つの異なる質量構成を提供するべく、前記取付けポートに交換可能に位置決めされる、ステップと、
前記センサーによって生成された前記操作データに基づいて、前記ユーザーに特有の前記少なくとも１つの質量インサートの推奨される構成を決定するステップと、
前記推奨される質量インサートを表す情報を送信するステップと、
を含む、ゴルフクラブをカスタマイズする方法。
【請求項１２】
内部に取付けポートが形成されているゴルフクラブヘッドとともに用いられるゴルフクラブカスタマイズシステムであって、
センサーインサート体及び前記センサーインサート体に結合されるセンサーを有するセンサーインサートであって、前記センサーインサート体は、前記クラブヘッドに形成されている前記取付けポート内に取外し可能に挿入可能なサイズ及び構成であり、前記センサーは、ユーザーの前記クラブヘッドのスイングを表す操作データを生成するように構成されている、センサーインサートと、
少なくとも２つの質量インサートであって、前記各質量インサートは、前記クラブヘッドの物理的特性を修正するように、前記クラブヘッドに形成されている前記取付けポート内に挿入可能なサイズ及び構成である、少なくとも２つの質量インサートと、
前記センサーと動作的に通信し、前記センサーによって生成された前記操作データに基づいて、前記少なくとも２つの質量インサートのいずれかを選択するように構成されている、セレクターと、
を備える、システム。
【外国語明細書】
2017140385000001.pdf